(57)【要約】【課題】操作スイッチを遊技者に案内しかつ報知して遊技性の向上を図る。【解決手段】ステップモーター３６が一方向に駆動し、ピニオンギア６７がラックギア３４を下方に移動し、このラックギア３４の結合子ガイド孔１６に沿い下方への移動に伴い、ラックギア３４の軸受部６１と指示体３１のラックギア支持軸４５とが相互に回転可能に嵌め合されたまま下方に移動し、その移動に伴い指示体３１が下方に移動し、指示体３１の人差し指が指示体ガイド孔１７に倣いつつラックギア支持軸４５を回転中心として内側に徐々に回転し、指示体３１の人差し指の先が操作スイッチ１の近くに位置して停止し、スイッチ操作指示部品２が操作スイッチ１を指示して遊技者にどの部分を操作すればよいかを報知する。【選択図】        図１
2004159860.tif 000002
【特許請求の範囲】
【請求項１】
遊技の結果として賞品を払い出す遊技機の遊技操作指示装置において、遊技機の前側から遊技に介入するための操作スイッチと、遊技の状況により操作スイッチを指示して遊技者に操作スイッチを操作すればよいかを報知するスイッチ操作指示部品とを備えたことを特徴とする遊技機の遊技操作指示装置。
【請求項２】
操作スイッチとスイッチ操作指示部品とをひとつのまとまりとして組み合わせたユニット部品に形成したことを特徴とする請求項１記載の遊技機の遊技操作指示装置。
【請求項３】
ユニット部品の操作スイッチとスイッチ操作指示部品とを組み合わせるユニットベースが縦長に形成され、ユニットベースの下部に操作スイッチを取り付ける一方、ユニットベースの上部にスイッチ操作指示部品を取り付けたことを特徴とする請求項２記載の遊技機の遊技操作指示装置。
【発明の詳細な説明】
【０００１】
【発明の属する技術分野】
本発明はパチンコ機のような遊技の結果として賞品を払い出す遊技機の遊技に遊技者を介入させるための遊技操作指示装置に関する。
【０００２】
【従来の技術】
従来のパチンコ機は変動短縮釦をパチンコ機の前面における皿の左側近傍に設け、遊技領域に発射された球の始動入賞部品への入賞に伴う図柄表示器による図柄変動を開始してから所定時間内に、遊技者が変動短縮釦を操作することで図柄変動を停止している（例えば、特許文献１参照）。また、別のパチンコ機は遊技機枠の前面に設けられたガラスのような透過性パネルに容量形または抵抗形のタッチセンサを透過パネルよりも裏側に格納された図柄表示器における表示画面と対応する位置に設け、遊技領域に発射された球の始動入賞部品への入賞に伴う図柄表示器による図柄変動を開始してから所定時間内に、遊技者が手をタッチセンサに触れることで図柄変動を停止する一方、遊技盤の図柄表示器よりも下方に設けた表示灯を点滅したり、音声メッセージを出力したり、図柄表示器よりも下方に設けた表示部での表示色を変えたりすることで、タッチセンサの受付可能状態を遊技者に知らせている（例えば、特許文献２参照）。
【０００３】
【特許文献１】
特開平９−３０８７３７号公報（第３頁、段落番号００２０、図４）
【特許文献２】
特開平７−２２７４７０号公報（第５頁、段落番号００２０、図３）
【０００４】
【発明が解決しようとする課題】
しかしながら、特許文献１の従来例は変動短縮釦が皿の近傍に設けられた構造であり、特許文献２の従来例は表示灯の点滅、音声メッセージ、表示部での表示色の変色などでタッチセンサの受付可能状態を遊技者に通知する構造であるので、両者とも、遊技に不慣れな遊技者にとっては、図柄変動を短縮するには遊技機のどの部分を操作すればよいのかを容易かつ適切に把握することができず、遊技性に欠けるという問題点があった。
【０００５】
そこで、本発明は、遊技に介入するための操作スイッチを指示（指し示す）ことで、操作スイッチを遊技者に案内しかつ報知して遊技性を向上することができる遊技機の遊技操作指示装置を提供するものである。
【０００６】
【課題を解決するための手段】
本発明にあっては、遊技の結果として賞品を払い出す遊技機の遊技操作指示装置において、遊技機の前側から遊技に介入するための操作スイッチと、遊技の状況により操作スイッチを指示して遊技者に操作スイッチを操作すればよいかを報知するスイッチ操作指示部品とを備えたことによって、スイッチ操作指示部品が遊技に介入するための操作スイッチを指示し、操作スイッチを操作することおよび操作スイッチの場所を遊技者に案内しかつ報知して遊技性を向上することができる。また、本発明にあっては、操作スイッチとスイッチ操作指示部品とをひとつのまとまりとして組み合わせたユニット部品に形成すれば、操作スイッチおよびスイッチ操作指示部品を個別に遊技機を構成する部品に取り付ける場合よりも取り付け易くなる。また、本発明にあっては、ユニット部品の操作スイッチとスイッチ操作指示部品とを組み合わせるユニットベースが縦長に形成され、ユニットベースの下部に操作スイッチを取り付ける一方、ユニットベースの上部にスイッチ操作指示部品を取り付ければ、ユニット部品を遊技盤の遊技領域に取り付けた場合にユニット部品周りにおける球の飛び交う領域を狭くすることなく、遊技者が遊技中に椅子に座ったままの姿勢で腕を伸ばすだけで操作スイッチをオンするように容易に操作することができる。
【０００７】
【発明の実施の形態】
図１−図５は一実施形態であって、図１はスイッチ操作指示装置の正面を示し、図２は指示体３１が操作スイッチ１を指示した状態の正面を示し、図３はスイッチ操作指示装置を分解した外観を示し、図４は操作スイッチ１周りを縦方向に切断した断面を示し、図５はパチンコ機の正面を示す。
【０００８】
図１を参照し、操作スイッチ１およびスイッチ操作指示部品２をひとつのまとまりとして組み合わせたユニット部品に形成された遊技操作指示装置３について説明する。遊技操作指示装置３はユニットベース４の下部に操作スイッチ１を備え、ユニットベース４の上部にスイッチ操作指示部品２を備える。
【０００９】
図２を参照し、遊技操作指示装置３の構成部品について説明する。ユニットベース４は図５のガイドレール１０９の内側部分に沿う弧状の板状であって、外周縁下部から前側に突出した外側壁５、内周縁上部から前側に突出した内側壁６、内側壁６の下部と外側壁５の中間部とに連接して前側に突出した隔壁７、隔壁７と外側壁５との連接部分の近傍に取り付けられた飾り８を備える。ユニットベース４における隔壁７よりも下方に位置する下部はスイッチ設置部９になっている。スイッチ設置部９は裏側から前側に膨出する正面視円形であって、中央にスイッチ逃孔１０を備える。そして、スイッチ設置部９の裏側に形成された凹部に操作スイッチ１が格納され、操作スイッチ１の前部がスイッチ逃孔１０に挿入され、操作スイッチ１の前部に設けられた発光部１１と受光部１２とがスイッチ逃孔１０よりも前側またはスイッチ逃孔１０に配置された状態で操作スイッチ１がスイッチ設置部９に取り付けられる。スイッチ設置部９は環状のレンズ部１３で囲まれた形態である。
【００１０】
ユニットベース４における隔壁７よりも上方に位置する上部は指示部品設置部１５になっている。指示部品設置部１５は直線的な結合子ガイド孔１６、弧状の指示体ガイド孔１７、リンク支持軸１８、ラックギアガイド１９、ギア構成体取付部２０、ギア構成体位置決め部（孔として図示）２１、センサレバー支持軸２２、ばね掛止部２３、センサ取付部２４、カバー取付孔２５、ベース取付孔２６を備える。リンク支持軸１８は指示部品設置部１５の前面から前側に突出する。ラックギアガイド１９、ギア構成体取付部２０、センサレバー支持軸２２、センサ取付部２４は指示部品設置部１５の裏面から裏側に突出する。センサレバー支持軸２２の根元部（ユニットベース４に近い方の部分）には止輪溝２７が形成される。
【００１１】
スイッチ操作指示部品２は指示体３１、Ｘ字形リンク３２、リンクカバー３３、ラックギア３４、ギア構成体（ギアボックス）３５、駆動源たるステップモーター３６、スライダー３７、止輪３８；３９、センサレバー４１、ばね４２、位置検出器搭載体４３、位置検出器４４を備える。指示体３１は人差し指で方向を示す人の手の形を模した擬似体（フィギアまたはキャラクター呼ばれることもある）であって、裏側にラックギア支持軸４５、リンク支持軸４６、スライダー支持軸４７を備える。スライダー支持軸４７の先端部には止輪溝４８が形成される。Ｘ字形リンク３２は２本のレバーをそれぞれの中心で回転可能に連結した複数のＸ字形リンク要素５１が互いに縦列状に回転可能に連結されており、当該縦列状に構成された両端部のＸ字形リンク要素５１に、２本のレバーをそれぞれの端部で回転可能に連結した複数のＶ字形リンク要素５２を個別に回転可能に連結した形態である。一方のＶ字形リンク要素５２における扇の要のような合わせ部はユニットベース４のリンク支持軸１８に回転可能に装着され、他方のＶ字形リンク要素５２における扇の要のような合わせ部は指示体３１のリンク支持軸４６に回転可能に装着される。
【００１２】
リンクカバー３３は、裏側から前側に突出する弧状の正面視二等辺三角形であって、取付足５５およびリンク抜止部５６を備える。取付足５５およびリンク抜止部５６はリンクカバー３３の裏面から裏側に突出した筒状である。そして、上記のようにＸ字形リンク３２がユニットベース４のリンク支持軸１８に装着された後に、リンク抜止部５６がリンク支持軸１８のＸ字形リンク３２よりも前側に突出した端部に嵌め込まれ、リンクカバー３３がリンク支持軸１８周りを被覆するようにユニットベース４の前面に搭載され、止ねじ５７がユニットベース４の裏側からカバー取付孔２５を経由してリンクカバー３３の取付足５５に締結されることで、リンクカバー３３がユニットベース４に取り付けられる。ラックギア３４は帯板状の裏面にギア歯部６０を備え、前面に筒状の軸受部６１を備える。そして、ラックギア３４の両長縁部がユニットベース４のラックギアガイド１９に摺接係合されるように嵌め込まれ、軸受部６１がユニットベース４の裏側から結合子ガイド孔１６を経由して指示体３１のラックギア支持軸４５に回転可能に嵌め込まれる。
【００１３】
ギア構成体３５は前方に開放された容器６４の内部に２個の笠歯車６５；６６を噛み合わせた形態で格納し、双方の笠歯車６５；６６のギア軸を容器６４の周壁に回転可能に支持し、容器６４の外側に突出した一方の笠歯車６５におけるギア軸と容器６４の外側面に固定されたステップモーター３６のモーター軸とを一緒に回転するように結合し、容器６４の外側に突出した他方の笠歯車６６におけるギア軸にピニオンギア６７を一緒に回転するように結合した形態である。そして、上記容器６４の開方側がラックギア３４を被覆し、ラックギア３４のギア歯部６０とピニオンギア６７の歯部とが噛み合わされ、ギア構成体取付部２０に形成された位置決め部（突起として図示）６８とユニットベース４のギア構成体位置決め部２１とが嵌め合わされ、止ねじ７１が容器６４の裏側から容器６４に設けられた取付足７２の貫通孔を経由してギア構成体取付部２０に締結されることで、ギア構成体３５がユニットベース４の裏側に取り付けられる。
【００１４】
スライダー３７は円筒状であって、後端部から径方向外側に突出した鍔７４を備える。そして、スライダー３７がユニットベース４の裏側から指示体ガイド孔１７に挿入され、スライダー３７が指示体３１のスライダー支持軸４７に回転可能に嵌め込まれ、スライダー３７よりも裏側に突出したスライダー支持軸４７の止輪溝４８に止輪３８が装着されることで、スライダー３７は指示体ガイド孔１７に移動可能に配置され、鍔７４がユニットベース４における指示体ガイド孔１７周りの裏面と対向し、スライダー３７がユニットベース４の裏側から前側に抜けないようになる。センサレバー４１は指示体３１が図１のような指示位置から図２のような待機位置に戻る過程においてラックギア３４で押し動かされることで位置検出器４４をオンさせる部品であって、筒状の中心体の後端部から径方向外側に突出したギア感知部７５と中心体の前端部から径方向外側に突出した検出器操作部７６とを備える。
【００１５】
ばね４２はコイルスプリングの両端部をコイル部よりも径方向外側に延設した掛止部７７を備えた形態である。そして、コイルスプリングのコイル部がユニットベース４におけるセンサレバー支持軸２２の根元部に外嵌装着され、止輪３９が止輪溝２７に装着された後、センサレバー４１がセンサレバー支持軸２２に回転可能に嵌め込まれて止輪溝２７で受け止められることで、ギア感知部７５がユニットベース４の裏面から離れる。その後、ばね４２の一方の掛止部７７がギア感知部７５に掛け止められ、ばね４２の他方の掛止部７７がユニットベース４のばね掛止部２３に掛け止められることで、ギア感知部７５をラックギア３４の方向に向けるようなばね力がばね４２からセンサレバー４１に与えられる。
【００１６】
位置検出器搭載体４３は板状の基部の一隅部に筒状のレバー抜止部８１、基部のレバー抜止部８１に近い部分から前側に突出したレバーストッパー８２、基部のレバー抜止部８１より離れた一縁部に貫通孔８３、基部の中央部に位置検出器取付部８４、基部の中央部に図外の位置決め突起を備える。位置検出器４４は発光部８５と受光部８６とが凹部の両側で相対峙する形態である。位置検出器４４の外側面に形成された図外の位置決め孔が位置検出器搭載体４３の位置決め突起に嵌め込まれ、図外の取付ねじが位置検出器４４の図外の貫通孔から位置検出器搭載体４３の位置検出器取付部８４に締結されることで、位置検出器４４が位置検出器搭載体４３における基部の前面に取り付けられる。
【００１７】
このように位置検出器４４が位置検出器搭載体４３に取り付けられた後、位置検出器４４の凹部が上記センサレバー４１の検出器操作部７６を取り込む格好で、位置検出器搭載体４３がユニットベース４のセンサ取付部２４の後端に重ね合わされ、止ねじ８７が位置検出器搭載体４３の貫通孔８３を経由してセンサ取付部２４に締結されることで、位置検出器搭載体４３がセンサ取付部２４に取り付けられる。このように位置検出器搭載体４３がセンサ取付部２４に取り付けられることで、ばね４２のばね力でセンサレバー４１の検出器操作部７６が位置検出器搭載体４３のレバーストッパー８２に受け止められ、指示体３１の指示動作に伴い、センサレバー４１のギア感知部７５とラックギア３４との接触が解除された場合でも、ギア感知部７５がギア感知部７５の端部と対向する位置が保持される。
【００１８】
図４を参照し、操作スイッチ１のスイッチ設置部９への取付構造について説明する。操作スイッチ１がスイッチ設置部９の裏側から凹部に格納された、操作スイッチ１の実装された回路基板であるスイッチ基板９１がスイッチ設置部９の裏面から突出した支柱９２に重ね合わされ、止ねじ９３がスイッチ基板９１に形成された図外の貫通孔から支柱９２に締結されることで、操作スイッチ１がスイッチ設置部９に取り付けられる。符号９４はレンズ部１３の表示灯である。
【００１９】
前記遊技操作指示装置３の動作について説明する。図１に示すように指示体３１が待機位置に停止している状態において、ステップモーター３６が一方向に駆動すると、ピニオンギア６７がラックギア３４を下方に移動する。このラックギア３４の結合子ガイド孔１６に沿い下方への移動に伴い、ラックギア３４の軸受部６１と指示体３１のラックギア支持軸４５とが相互に回転可能に嵌め合されたまま下方に移動し、その移動に伴い指示体３１が下方に移動する。この指示体３１が下方に移動する過程では、指示体３１のスライダー支持軸４７に回転可能に嵌め合わされたスライダー３７が指示体ガイド孔１７の内部を移動するので、指示体３１の人差し指が指示体ガイド孔１７に倣いつつラックギア支持軸４５を回転中心として内側に徐々に回転し、指示体３１の人差し指の先が操作スイッチ１の近くに位置すると、上記ステップモーター３６の一方向への駆動が停止する。
【００２０】
図２に示すように、指示体３１の人差し指の先が操作スイッチ１の近い指示位置に停止した形態は、スイッチ操作指示部品２が操作スイッチ１を指示して遊技者にどの部分を操作すればよいかを報知した形態である。当該停止から所定時間後に、ステップモーター３６が他方向に駆動することで、指示体３１がガイド孔に沿って上方に移動する過程において、指示体３１の人差し指が指示体ガイド孔１７に倣いつつラックギア支持軸４５を回転中心として外側に徐々に回転し、図１に示す待機位置へと移動し、指示体３１の人差し指の先が操作スイッチ１から遠くに位置すると、上記ステップモーター３６の他方向への駆動が停止する。この指示体３１の人差し指の先が操作スイッチ１から遠い待機位置に停止した形態は、スイッチ操作指示部品２が操作スイッチ１を指示しておらず遊技者にどの部分を操作すればよいかを報知していない形態である。
【００２１】
よって、遊技操作指示装置３の構造によれば、操作スイッチ１とスイッチ操作指示部品２とを備えているので、スイッチ操作指示部品２が遊技に介入するための操作スイッチ１を指示して操作スイッチ１を操作することおよび操作スイッチ１の場所を遊技者に案内しかつ報知して遊技性を向上することができる。操作スイッチ１が下部でスイッチ操作指示部品２が上部となる配置であるので、スイッチ操作指示部品２が操作スイッチ１の操作を妨げることがなく、操作スイッチ１の前側に遊技者の手１２０が存在しても、遊技者は指示体３１の動きを適切に把握することができる。遊技操作指示装置３は操作スイッチ１およびスイッチ操作指示部品２が１つのまとまりとして組み合わされたユニット部品として構成されているので、操作スイッチ１およびスイッチ操作指示部品２を個別に遊技操作指示装置３の取り付けられる相手側部材としての例えば図５の遊技機枠１０１や遊技盤１０６に取り付ける場合よりも取り付け易くなる。
【００２２】
図５を参照し、遊技操作指示装置３を備えたパチンコ機について説明する。パチンコ機の遊技機枠１０１は前面にガラスのような透過性パネル１０２、皿１０３、ハンドルグリップと呼ばれる球発射操作機構１０４を備え、内部に球発射機構１０５や遊技盤１０６を備え、遊技機枠１０１の裏側または遊技盤１０６の裏側に制御装置１０７を備える。そして、制御装置１０７が電力供給で起動し、球が皿１０３に入れられた状態において、遊技者が球発射操作機構１０４を操作すると、その操作量に応じて制御装置１０７が球発射機構１０５を駆動する。その駆動により球発射機構１０５が皿１０３から供給された球を１個ずつ遊技盤１０６の前面たる意匠盤面のガイドレール１０９で囲まれた内側の遊技領域１１０に向けて発射する。その球が始動入賞部品１１１に入賞し、始動入賞球検出器１１４が始動入賞部品１１１に入賞した球を検出して始動入賞信号を制御装置１０７に出力すると、制御装置１０７が抽選処理および図柄変動処理を実行する。
【００２３】
制御装置１０７からの図柄変動処理による出力で図柄表示器１１２が図柄変動を開始した後に抽選結果を反映すべく停止する。例えば、抽選処理の結果として外れが抽選されている場合は、図柄表示器１１２で停止した確定図柄が当たり図柄以外となった後に始動入賞に伴う大当たり遊技を行わない。抽選処理の結果として当たりが抽選されている場合は、図柄表示器１１２で停止した確定図柄が当たり図柄で揃った後に、制御装置１０７が大当たり処理で可変入賞部品１１３の図外の開閉駆動源を駆動し、その駆動で開閉駆動源が可変入賞部品１１３の開閉体１１５を所定回数または所定時間だけ開閉する。開閉体１１５の開放中において、遊技領域から可変入賞部品１１３に球が入賞すると、制御装置１０７が遊技機枠１０１の裏側に設けられた図外の球払出機構を駆動し、球払出機構が賞品としての球を皿１０３に払い出す。
【００２４】
上記制御装置１０７が図柄変動処理による出力でスイッチ操作指示部品２のステップモーター３６を一方向に駆動し、ステップモーター３６が指示体３１を下方に動かし、指示体３１が操作スイッチ１を指示して遊技者にどの部分を操作すればよいかを報知する。制御装置１０７は上記ステップモーター３６の一方向への回転駆動と並行して操作スイッチ１に動作電力を供給し、操作スイッチ１の発光部１１が照射光Ｌ１を照射する。そして、遊技者が図４に示すように、操作スイッチ１の前側に位置するように、手１２０を透過性パネル１０２よりも前方の反射点Ｐまたは反射点Ｐの後方に位置する透過性パネル１０２にかざすことで、操作スイッチ１がオン信号（遊技者での操作に相当する信号）を制御装置１０７に出力する。
【００２５】
これによって、制御装置１０７が制御装置１０７のＲＡＭに格納された図柄停止時間を無視して図柄表示器１１２による図柄変動を抽選処理の結果を反映すべく停止する。操作スイッチ１がオン信号を制御装置１０７に出力すると、制御装置１０７がステップモーター３６を他方向に回転するように駆動する。このステップモーター３６が他方向に回転すると、指示体３１が図２の状態から上方に移動して図５の状態に復帰して停止し、制御装置１０７が上記ステップモーター３６の他方向への回転を停止すると、上記操作スイッチ１への動作電力供給を停止する。よって、図柄表示器１１２による図柄変動中において、遊技者が操作スイッチ１をオンとなるように操作すると、図柄表示器１１２による図柄変動が抽選結果を反映すべく停止するので、遊技者としては始動入賞に伴う図柄変動遊技を自分の意志で早く消化することできる。
【図面の簡単な説明】
【図１】一実施形態のスイッチ操作指示装置を示す正面図。
【図２】一実施形態の指示形態を示す正面図。
【図３】一実施形態のスイッチ操作指示装置を示す分解斜視図。
【図４】一実施形態の操作スイッチ周りの断面図。
【図５】一実施形態のパチンコ機を示す正面図。
【符号の説明】
１  操作スイッチ
２  スイッチ操作指示部品
３  遊技操作指示装置
４  ユニットベース
【図１】
2004159860.tif 000003
【図２】
2004159860.tif 000004
【図３】
2004159860.tif 000005
【図４】
2004159860.tif 000006
【図５】
2004159860.tif 000007